(57)【要約】【課題】画素間における発光領域の輝度のずれを抑制しつつ、表示装置表示部の単位面積当たりの発光面積を向上させ、高い表示品質の表示装置を提供することにある。【解決手段】画素が有する発光領域のうち、少なくとも一部の発光領域の上部に、補助電極が位置することにより、実効的な発光面積のずれを抑制することで輝度のずれを抑制しつつ、発光領域間の領域を狭めることにより、表示装置表示部の単位面積当たりの発光面積を向上させる表示装置を提供する。【選択図】図２
2010140648.tif 000002
【特許請求の範囲】
【請求項１】
所定数の色の発光領域をそれぞれ有している複数の画素領域の上部に共通して広がる光透過性を有する電極、を備える表示装置であって、
前記電極の表面上に配置され、前記電極に接続された線状の補助電極が、複数の前記発光領域のうち、少なくとも一部の発光領域の上に位置する、
ことを特徴とする表示装置。
【請求項２】
請求項１に記載の表示装置であって、
前記発光領域が、第１の方向に並び、
前記線状の補助電極が前記第１の方向に延びる直線状の形状をしている、
ことを特徴とする表示装置。
【請求項３】
請求項２に記載の表示装置であって、
前記発光領域はそれぞれ矩形状の形状をしており、
前記矩形の長辺を隣り合わせ、前記矩形の短辺を前記第１の方向と並行にして、前記発光領域が並ぶ、
ことを特徴とする表示装置。
【請求項４】
請求項１に記載の表示装置であって、
前記所定数の色のうち、少なくとも１つの色の発光領域が、前記補助電極の下に配置される、
ことを特徴とする表示装置。
【請求項５】
請求項１に記載の表示装置であって、
前記所定数の色のうち、発光効率に応じて選択される少なくとも１つの色の発光領域が、前記補助電極の下に配置される、
ことを特徴とする表示装置。
【請求項６】
請求項４若しくは請求項５に記載の表示装置であって、
前記画素領域の１つにおいて、前記所定数の色の発光領域が、第１の方向に並び、
さらに、前記第１の方向に、前記画素領域が並び、
前記第１の方向と垂直である第２の方向に、前記所定数の色のうち同じ色の発光領域が並び、
前記線状の補助電極が前記第２の方向に延びる直線状の形状をしている、
ことを特徴とする表示装置。
【請求項７】
請求項１に記載の表示装置であって、
前記発光領域がそれぞれ矩形の形状をしており、
隣り合う２つの画素領域において、前記所定数の色のうち、第１の色の発光領域が、前記矩形の長辺を隣り合わせ、前記矩形の短辺を第１の方向と平行にして位置し、
前記隣り合う２つの画素領域のうち、一方の画素領域の、前記第１の色の発光領域以外の発光領域が、前記矩形の長辺を、前記第１の色の発光領域の前記矩形の短辺と平行にして、前記第１の方向に垂直である第２の方向の一方側に並び、
前記隣り合う２つの画素領域のうち、他方の画素領域の、前記第１の色の発光領域以外の発光領域が、前記矩形の長辺を、前記第１の色の発光領域の前記矩形の短辺と平行にして、前記第２の方向の前記一方側の他方側に並び、
さらに、前記隣り合う２つの画素領域と同じ配置をもって、前記第１の方向及び前記第２の方向に、前記画素領域が並び、
前記線状の補助電極が、前記第１の色の発光領域の上に、前記第１の方向に延びる直線状の形状をして位置する、
ことを特徴とする表示装置。
【請求項８】
請求項１に記載の表示装置であって、
前記所定数が３であり、
前記画素領域が、第１の方向に隣りあって並ぶ２列の発光領域の列にまたがり、
前記２列の発光領域の列において、
前記３の色の発光領域のうち、第１の色の発光領域と第２の色の発光領域が第１の列に位置し、第３の色の発光領域が第２の列に位置する第１の画素領域と、
前記第１の色の発光領域が前記第１の列に位置し、前記第２の色の発光領域と前記第３の色の発光領域が前記第２の列に位置する第２の画素領域と、が、対となって繰り返し並び、
前記線状の補助電極が前記第１の列の上に位置して前記第１の方向に延びる直線状の形状をしている、
ことを特徴とする表示装置。
【発明の詳細な説明】
【技術分野】
【０００１】
本発明は、表示装置に関し、特に、透明共通電極を用いる表示装置における表示品質の向上に関する。
【背景技術】
【０００２】
有機ＥＬ表示装置や液晶表示装置など表示装置では、発光層や液晶層の上部に透明な共通電極が用いられている。光透過性などにより透明電極の膜厚には上限がある。そのため、十分な膜厚が得られないと、電極の電気抵抗が大きくなる。その場合、電極において電圧降下が生じ、共通電極面内の電位分布が不均一になり、表示画面内において、画素間で輝度にずれを生じてしまうので、表示品質が低下する。
【０００３】
そこで、隣り合う発光領域と発光領域の間にある領域に、電気伝導性の高い物質を、補助電極として、共通電極の上に付加する。図１は、表示装置の表示部分を上部からみた概念図である。
【０００４】
図１において、各画素は３色の発光領域を有し、それが順に図中横方向に並んでいる。３色の発光領域を、第１の色の発光領域１、第２の色の発光領域２、第３の色の発光領域３として、記している。以降の図に示す発光領域の色も同様である。
【０００５】
さらに、各画素が、図中横方向及び縦方向に繰り返し並んでいる。このように並んだ配列は、一般に、ストライプ配列と呼ばれている。図中の点線で囲まれた領域は、３色の発光領域で構成される１つの画素を例示している。図１においては、２つの画素をそれぞれ点線で例示しているが、他の画素についても同様である。また、以降の図においても同様に、点線で囲われた領域は、それぞれ１つの画素領域を例示している。
【０００６】
これらの発光領域の上に、透明共通電極（図示せず）が位置し、さらに、前記発光領域と発光領域の間の領域の上部に補助電極１１が付加されている。この補助電極１１により、共通電極の電気抵抗を低下させ、画素間における輝度のずれを抑制することが出来る。
【特許文献１】特開２００３−２８８９９４号公報
【発明の開示】
【発明が解決しようとする課題】
【０００７】
補助電極として用いられる物質は、光透過性が前記共通電極より劣るため、補助電極が発光領域の上に位置すれば、補助電極が発光領域からの光を遮ることとなる。その結果、補助電極が発光領域の上に位置していない場合よりも、発光面積が小さくなる。
【０００８】
それゆえ、前記補助電極を共通電極の上に付加する際、補助電極の位置精度を考慮して、発光領域と発光領域の間に十分広い領域を設けなければいけない。すなわち、図１において、補助電極１１は横方向に延びて位置しているので、補助電極１１を挟んで図中横向きに並ぶ２列の発光領域の間の距離であるｄを、補助電極１１の位置精度よりも大きくとる必要がある。補助電極１１が発光領域に位置している場合と位置していない場合との発光面積の違いにより、輝度のずれが生じ、表示品質が低下してしまうからである。
【０００９】
その結果、当該領域を広く設けなければならないことにより、単位面積当たりの発光面積が小さくなり、発光輝度が低下するという問題が生じてしまう。
【００１０】
そこで、本発明は、画素間における発光領域の輝度のずれを抑制しつつ、表示装置表示部の単位面積当たりの発光面積を向上させ、高い表示品質の表示装置を提供することを目的とする。
【課題を解決するための手段】
【００１１】
（１）上記の課題を解決するため、本発明に係る表示装置は、所定数の色の発光領域をそれぞれ有している複数の画素領域の上部に共通して広がる光透過性を有する電極、を備える表示装置であって、前記電極の表面上に配置され、前記電極に接続された線状の補助電極が、複数の前記発光領域のうち、少なくとも一部の発光領域の上に位置する、ことを特徴とする。
【００１２】
（２）上記（１）に記載の表示装置において、前記発光領域が、第１の方向に並び、
前記線状の補助電極が前記第１の方向に延びる直線状の形状をしていてもよい。
【００１３】
（３）上記（２）に記載の表示装置において、前記発光領域はそれぞれ矩形状の形状をしており、前記矩形の長辺を隣り合わせ、前記矩形の短辺を前記第１の方向と並行にして、前記発光領域が並んでいてもよい。
【００１４】
（４）上記（１）に記載の表示装置において、前記所定数の色のうち、少なくとも１つの色の発光領域が、前記補助電極の下に配置されていてもよい。
【００１５】
（５）上記（１）に記載の表示装置において、前記所定数の色のうち、発光効率に応じて選択される少なくとも１つの色の発光領域が、前記補助電極の下に配置されていてもよい。
【００１６】
（６）上記（４）若しくは（５）に記載の表示装置において、前記画素領域の１つにおいて、前記所定数の色の発光領域が、第１の方向に並び、さらに、前記第１の方向に、前記画素領域が並び、前記第１の方向と垂直である第２の方向に、前記所定数の色のうち同じ色の発光領域が並び、前記線状の補助電極が前記第２の方向に延びる直線状の形状をしていてもよい。
【００１７】
（７）上記（１）に記載の表示装置において、前記発光領域がそれぞれ矩形の形状をしており、隣り合う２つの画素領域において、前記所定数の色のうち、第１の色の発光領域が、前記矩形の長辺を隣り合わせ、前記矩形の短辺を第１の方向と平行にして位置し、前記隣り合う２つの画素領域のうち、一方の画素領域の、前記第１の色の発光領域以外の発光領域が、前記矩形の長辺を、前記第１の色の発光領域の前記矩形の短辺と平行にして、前記第１の方向に垂直である第２の方向の一方側に並び、前記隣り合う２つの画素領域のうち、他方の画素領域の、前記第１の色の発光領域以外の発光領域が、前記矩形の長辺を、前記第１の色の発光領域の前記矩形の短辺と平行にして、前記第２の方向の前記一方側の他方側に並び、さらに、前記隣り合う２つの画素領域と同じ配置をもって、前記第１の方向及び前記第２の方向に、前記画素領域が並び、前記線状の補助電極が、前記第１の色の発光領域の上に、前記第１の方向に延びる直線状の形状をして位置していてもよい。
【００１８】
（８）上記（１）に記載の表示装置において、前記所定数が３であり、前記画素領域が、第１の方向に隣りあって並ぶ２列の発光領域の列にまたがり、前記２列の発光領域の列において、前記３の色の発光領域のうち、第１の色の発光領域と第２の色の発光領域が第１の列に位置し、第３の色の発光領域が第２の列に位置する第１の画素領域と、前記第１の色の発光領域が前記第１の列に位置し、前記第２の色の発光領域と前記第３の色の発光領域が前記第２の列に位置する第２の画素領域と、が、対となって繰り返し並び、前記線状の補助電極が前記第１の列の上に位置して前記第１の方向に延びる直線状の形状をしていてもよい。
【発明の効果】
【００１９】
本発明により、画素間における発光領域の輝度のずれを抑制しつつ、発光領域と発光領域との間の領域を狭くすることが可能となり、表示装置表示部の単位面積当たりの発光面積を向上させ、高い表示品質の表示装置を提供することが出来た。
【発明を実施するための最良の形態】
【００２０】
［第１の実施形態］
以下、本発明の実施の形態について、図面を参照しながら説明する。本発明に係る表示装置は、例えば、有機ＥＬ表示装置である。表示装置表示部には、基板の上に、複数の画素が所定の配列によって並んでおり、さらに、各画素には、１若しくは複数である所定数の色の発光領域を有している。各発光領域の上部には、共通して広がる透明共通電極が積層している。
【００２１】
図２は、本実施形態における表示装置表示部を上部から見た概念図である。図２は、前述の通り、例えば有機ＥＬ表示装置であり、図２には、各画素が３色の発光領域を有している場合を示している。３色の発光領域は、第１の色の発光領域１、第２の色の発光領域２、及び、第３の色の発光領域３として示されている。３色の色とは、例えば、赤、緑、青である。図２に示す３色の発光領域は、図１の場合と同様に、ストライプ配列をして並んでいる。
【００２２】
図２において、発光体である有機ＥＬ層の発光領域それぞれの上部に広がる透明な共通電極（図示せず）が積層している。ここで、透明な共通電極は、例えば、ＩｎＺｎＯ（Indium Zinc Oxide）膜などが用いられる。ＩｎＺｎＯ膜は、光透過性を有しており、共通電極より下に位置する有機ＥＬ層が発光する光を外部に透過し、かつ、一定の電気伝導性を有している。しかし、ＩｎＺｎＯ膜は、光透過性の観点から膜厚には上限が生じ、それゆえ、通常、１５０ｎｍ程度の膜厚で用いられることが多い。その場合、前述の通り、電極としては高抵抗で、表示品質を低下するという問題が生じることとなる。
【００２３】
共通電極の抵抗値を下げるため、透明電極の上に、マスクを用いて、補助電極１１を公知の蒸着法によって付加する。このマスクには、アンバー（インバー）合金などが用いられる。図２において、補助電極１１は、図中横方向に延びる直線状の形状をしており、その下には、横方向に並んで位置する発光領域が位置している。
【００２４】
ここで、補助電極１１には、通常、アルミニウムなどの金属が用いられており、アルミニウムは光透過性が透明電極と比べて小さい。それゆえ、有機ＥＬ層が発光する光が補助電極１１で遮断され外部へほとんど透過しない。その結果、実効的な発光面積は、補助電極１１の遮光により発光領域の面積よりも小さくなってしまう。
【００２５】
しかしながら、図２に示すすべての発光領域それぞれに等しく補助電極１１が上部に位置しているため、実効的な発光面積は等しくなっている。ここで、発光領域の実効的な発光面積とは、各発光領域の面積から、発光領域の上部に重なって位置する補助電極１１の面積を引いたものである。図２において、各発光領域は、矩形の形状をしており、発光面積は、各発光領域の横幅と縦幅の積である。しかし、実効的な発光面積は、補助電極１１による遮光によって減じることとなる。つまり、縦幅から補助電極１１の幅である図中ｃを縦幅から除いた長さ、すなわち、図中ａとｂの長さの和と、横幅との積となっている。
【００２６】
また、図２において、補助電極１１を発光領域の上部に付加させたことにより、図中横方向に並んでいる発光領域と、隣接して同じ向きに並んでいる発光領域との間の領域に、補助電極１１を付加する必要がなくなる。図１において、補助電極１１の位置精度を考慮して広くとる必要であったこの領域を、狭めることが出来る。すなわち、図２におけるｄの長さは、図１のｄの長さより、補助電極１１の幅以上に小さくすることが出来る。よって、前述の通り、各発光領域の実効的な発光面積は補助電極１１により発光領域の発光面積よりも小さくなったが、表示装置表示部全体としては、単位面積当たりの実効的な発光面積は、大きくすることが出来、表示品質の向上をすることが出来る。
【００２７】
図２において、補助電極１１は、各発光領域の図中縦方向中央付近に位置しているが、補助電極１１の位置精度により、また、それ以外の理由により、補助電極１１の位置が中央から離れてしまうことがある。図３は、３列に並ぶ補助電極１１と、それぞれの下部に位置する発光領域との相対的な縦方向の位置が、それぞれの列において異なる場合を示している。すなわち、図中上から１番目の補助電極１１は、下部に位置する各発光領域の中央付近よりも図中上側に位置し、図中上から２番目の補助電極１１は、下部に位置する各発光領域の中央付近に位置し、図中上から３番目の補助電極１１は、下部に位置する各発光領域の中央付近よりも図中下側に位置している。
【００２８】
これら３つの場合において、補助電極１１の位置は異なるが、補助電極１１の幅ｃが等しいため、各発光領域において、縦幅からｃを除いた長さ、すなわち、図中ａとｂの長さの和は等しく、よって、実効的な発光面積は等しくなっており、輝度のずれは生じていない。
【００２９】
補助電極１１が発光領域の上部に重なって位置するためには、補助電極１１を発光領域の中央部分に付加すると設計した場合、補助電極１１の位置精度の２倍以上の幅を有する発光領域に、本発明を適用することが出来る。
【００３０】
各発光領域が、長手方向及び短手方向を有する扁平形状をしている場合を考える。補助電極１１の位置精度が、各発光領域の幅長に近い場合には、補助電極１１が各発光領域の長手方向に垂直な方向に延び、各発光領域の扁平形状の長手方向の幅の中央付近に位置するように設計すればよい。補助電極１１の位置精度が、各発光領域の幅長と比較して十分に小さい場合であっても、同様に、各発光領域の長手方向に垂直な方向に延びるよう、補助電極１１を付加すれば、補助電極１１の位置設計には自由度が増す。
【００３１】
図２及び図３で示す発光領域は、矩形状の形状をしている。発光領域が矩形状であれば、各領域の矩形長辺に垂直、すなわち、矩形短辺に平行な方向に、補助電極１１を位置するよう設計すれば、本発明の効果は高まる。
【００３２】
図４は、ミラー配置をしたストライプ配列で画素が並んでいる場合について示している。ここで、ミラー配置とは、図３の図中横方向に隣り合って並んでいる２つの画素において、３色の色の発光領域の配列の順序が逆になっている配列をいう。図７において点線で囲うことで示された２つの画素における配列が、左側の画素では、第１の色の発光領域１、第２の色の発光領域２、第３の色の発光領域３の順になっているが、右側の画素では、その逆になっている。
【００３３】
有機ＥＬ装置の場合、有機ＥＬ層は、補助電極１１と同様に、アンバー（インバー）合金などのマスクによる蒸着法によって、積層される。アンバー合金の金属箔をマスクとして使用する際に必要な強度などの問題から、隣り合う画素における色の配列の順序が逆にすることで、限られた強度の中で、微細な有機ＥＬ層の形成が可能となる。
【００３４】
以上、ストライプ配列に並ぶ画素の発光領域それぞれの上部に、補助電極１１を付加する場合を示してきたが、すべての発光領域の上部に、補助電極１１を付加する必要はない。
【００３５】
図５は、ストライプ配列で並ぶ画素において、図中横方向に延びる補助電極１１が、図中横方向に並ぶ画素の列に対して、１列おきに位置する場合を示している。補助電極１１の数は、発光領域の上部に位置する透明共通電極の電気抵抗によって、また、補助電極１１の幅によって、増減することが出来る。
【００３６】
この場合においても、補助電極１１が上部に位置する発光領域において、図中横方向に対しては、輝度のずれが抑制されている。また、補助電極１１が上部に位置する発光領域と位置していない発光領域の輝度の違いを是正するために、補助電極１１が位置している発光領域の面積を、補助電極１１との重なっている面積の分だけ、補助電極１１が位置していない発光領域の面積よりも大きくすることも可能である。
【００３７】
図６は、同様に、一般にデルタ配列をしている発光領域の上部に補助電極１１が直線状に延びて位置する場合を示している。ここで、デルタ配列とは、各画素が３色の発光領域を有し、各３色の発光領域の中心を結ぶと三角形の形状をしている。すなわち、ある画素においては、上列に２の色の発光領域が並び、下列に他の１の色の発光領域が位置し、１つの画素を構成している。例えば、図６中の点線で示した２つの画素のうち、左側の画素においては、上列に、２の色の発光領域である第３の色の発光領域３及び第２の色の発光領域２が並び、下列には、他の１の色の発光領域である第１の色の発光領域１が位置している。図中横方向の隣に位置する画素においては、上列に１の色の発光領域が、下列に他の２の色の発光領域が位置し、１つの画素を構成している。例えば、図６中の点線で示した２つの画素のうち、右側の画素においては、上列に第１の色の発光領域１が、下列には第３の色の発光領域３及び第２の色の発光領域２が位置している。そして、これらの画素が図中横方向に交互に並ぶことで、２列の発光領域によって、画素が配列している。この画素の配列が図中縦方向に順に並ぶことで、デルタ配列の表示画面が構成される。
【００３８】
図６では、一般的なデルタ配列、すなわち、１つの画素を構成する３色の発光領域の中心を結ぶと二等辺三角形の形状をしている場合を示したが、例えば、直角三角形など他の三角形の形状をつくるような配列にも適用できるのは言うまでもない。
【００３９】
［第２の実施形態］
前述の通り、１つの画素には所定数の色の発光領域を有するが、その発光効率は、それら色の間において異なる。発光効率は、素子が発光する光の輝度を電流密度で割ったもので定義されている。一般的な表示装置の場合、各画素には、赤、緑、青の３色の発光素子がある。例えば、一般的な有機ＥＬ素子の場合、青色の有機ＥＬ素子の発光効率が低く、緑色の有機ＥＬ素子の発光効率が高い。
【００４０】
このように、発光効率が異なる発光素子によって、所定数の発光領域を設けている場合、同程度の電流をそれぞれの色の発光素子に流しても、色によって輝度が異なってしまう。
【００４１】
発光効率が異なる所定数の発光素子を同程度の電流量で発光させる場合、異なる色の発光領域による輝度のずれを抑制する手段の一つとして、発光効率に応じて、それぞれの発光素子を有する発光領域の面積を異ならせることが考えられる。
【００４２】
図７は、発光効率に応じてそれぞれの色の発光領域の面積を異ならせた場合を示している。図７には、１つの画素には、所定数３の発光領域があり、それぞれの発光領域は発光効率に応じて異なる面積を有している。図７には、３色の色のうち、最も発光効率の高い色の発光領域を第１の色の発光領域４、発光効率が２番目に高い色の発光領域を第２の色の発光領域５、最も発光効率の低い色の発光領域を第３の色の発光領域６として記している。以降の図に示す発光領域の色も同様である。
【００４３】
しかし、面積を異なる発光領域を形成するためには、その面積に応じたマスクが必要になる。補助電極１１が発光領域の上部に位置する場合、補助電極１１が遮光するため、補助電極１１と重なる面積分、実効的な発光面積が減ずることを利用して、発光効率の高い色の発光領域の上部に、選択的に補助電極１１を位置させることにより、発光効率による輝度のずれを抑制することが出来る。
【００４４】
図８は、ストライプ配列をしている発光領域のうち、発光効率の高い特定の色の発光領域の上部に補助電極１１が直線状に延びて位置する場合を示している。図８に示す３色の色の発光領域の面積は等しい。３色のうち最も発光効率の高い色である第１の色の発光領域４の上部にのみ、補助電極１１が位置することで、第１の色の発光領域４の実効的な発光面積は減ずる。それにより、同程度の電流を流した場合に、第１の色の発光領域４の輝度が、他の色の発光領域よりも高くなることを抑制出来る。
【００４５】
３色の色の発光領域の面積を等しくする場合、例えば、第２の色の発光領域５と第３の色の発光領域６の最適な面積を求め、それらの面積の中間の値の面積を有するよう、各発光領域を形成する。そして、第１の色の発光領域４は、その発光効率に応じて、補助電極１１の線幅を増減させる。これにより、透明共通電極の電気伝導性を高めつつ、発光効率の異なる３色の色の発光領域における輝度のずれを抑える効果がさらに高まる。
【００４６】
図９は、図８と同様に、ストライプ配列をしている発光領域のうち、発光効率の高い特定の色の発光領域の上部に補助電極１１が直線状に延びて位置している場合を示している。図８との違いは、第１の色の発光領域４と第２の色の発光領域５の面積は等しいが、第３の色の発光領域６の面積は、それらの面積よりも大きくなっている。
【００４７】
第２の色の発光領域５の面積と、第３の色の発光領域６の面積を、それぞれの発光効率に応じた値で形成する。前述の通り、第１の色の発光領域４の面積も、第２の色の発光領域５の面積と等しくなるよう形成し、補助電極１１によって、第１の色の発光領域４の実効的な発光面積を減ずることで、第１の色の発光領域４も最適な実効的発光面積を得ることが出来る。
【００４８】
これにより、本発明を適用しない場合は、３つの異なる面積をそれぞれ有する３種類のマスクによって形成する必要があるところ、本発明を適用することにより、補助電極１１によって共通電極の電気伝導性を高めつつ、２つの異なる面積をそれぞれ有する２種類のマスクによって形成することが可能となる。
【００４９】
ストライプ配列において、ある方向に所定数の色の発光領域が並んで１つの画素を構成しているので、発光領域の形状は、この方向には短く、それに垂直な方向には長くなるよう形成されることが多い。図８及び図９においても、各画素において、３色の発光領域は図中横方向に並んでおり、各発光領域の形状は、横方向に短く縦方向に長い矩形をしている。補助電極１１は、第１の色の発光領域４の上部に、この矩形の短辺である横辺に垂直に縦方向に延びて位置している。この場合、この短辺の長さが、補助電極１１の位置精度の２倍以上の長さを持っている必要があり、補助電極１１の位置精度の観点からは、上述の図２などの場合よりも、厳しい条件が課されている。
【００５０】
なお、発光効率の違いや、必要となる補助電極１１の線幅などを考慮して、図９に示す表示装置の代わりに、第１の色の発光領域４の面積を第３の色の発光領域６の面積と等しくし、第２の色の発光領域５の面積を、それらの面積より小さくした表示装置であってもよい。
【００５１】
さらに、図８及び図９では、通常のストライプ配列の例を示したが、さらに、前述したミラー配置をした場合に、本発明を適用することが出来るのは言うまでもない。
【００５２】
図１０は、ミラー配置されたストライプ配列に、さらに工夫をした場合を示している。図１０において、図中点線で示した２つの画素のうち、それぞれの第１の色の発光領域４を図中縦方向に並べ、その両側に広がるように、それぞれの画素の、第２の色の発光領域５及び第３の色の発光領域６がそれぞれ並ぶことにより、１対の画素を構成している。それら１対の画素と同じ配置を、図中横方向及び図中縦方向に、連ねて並ぶよう、画素が配列されている。さらに、第１の色の発光領域４は、３色の色のうち、最も発光効率が高い色の発光領域であり、この領域の上部に、図中縦方向に直線状に延びる補助電極１１が位置している。
【００５３】
図１０においては、第２の色の発光領域５と第３の色の発光領域６の面積は等しくしてある。これら面積は、図８で説明した通り、第２の色の発光領域５と第３の色の発光領域６のそれぞれ最適な面積の間の面積によって、第２の色の発光領域５と第３の色の発光領域６の面積を形成する。そして、第１の色の発光領域４の面積は、重なる補助電極１１の面積を考慮して決めればよい。
【００５４】
図１０に示す配列にすることにより、上部に補助電極１１が位置している第１の色の発光領域の長辺の方向を補助電極１１が延びる方向に垂直にすることが可能となり、図８及び図９に生じていた補助電極１１の位置精度という厳しい条件を緩和させることが可能となる。
【００５５】
図１１は、ミラー配置したストライプ配列に、図１０と同様に、さらに工夫をした場合であるが、図１０との違いは、第２の色の発光領域５と第３の色の発光領域６の面積が異なっている。これにより、補助電極１１の位置精度の厳しい条件を緩和しつつ、同程度の電流を流した場合に、輝度が等しくなる発光面積を有することにより、異なる色の発光領域における輝度のずれを抑制することが出来る。
【００５６】
なお、ミラー配置とは、限られた強度の中で、微細な有機ＥＬ層の形成するためのものである。それゆえ、図１１に示すように、第２の色の発光領域５及び第３の色の発光領域６のうち、面積の小さい第２の色の発光領域５を隣りあわせたミラー配置にすることにより、第３の色の発光領域６を隣り合わせたミラー配置よりも、使用するマスクの強度を高くすることが出来る。
【００５７】
図１２は、ミラー配置されたデルタ配列に並ぶ画素において、隣り合う２列の発光領域の列のうち、一方の列にのみ補助電極１１が位置する場合を示している。図１２において、図中点線で隣り合う２つの画素が示されている。これら画素のうち、左側の画素では、上列に、発光効率が最も高い第１の色の発光領域４が、下列に、発光効率が２番目である第２の色の発光領域５及び発光効率が最も低い第３の色の発光領域６が、位置している。これに対して、右側の画素では、上列に、第１の色の発光領域４及び第２の色の発光領域５が、下列に、第３の色の発光領域６が、位置している。それら１対の画素と同じ配置を、図中横方向及び図中縦方向に、連ねて並ぶよう、画素が配列されている。さらに、補助電極１１は、前記上列の上部に、図中横方向に直線状に延びて位置している。
【００５８】
このような構造により、隣り合う２つの画素が有する発光領域において、第１の色の発光領域４には２つとも、第２の色の発光領域５には１つのみ、上部に補助電極１１が位置し、第３の色の発光領域６の上部には、補助電極１１が位置していない。
【００５９】
よって、各発光領域がそれぞれ等しい面積を有している場合において、隣り合う２つの画素が有する各色の発光領域の実効的な発光面積が、発光効率の高い色の順に、逆に小さくすることが可能となっている。
【００６０】
これにより、表示装置表示部の単位面積当たりの発光面積を向上させつつ、等しい面積を有する３色の色の発光領域に同程度の電流を流した場合に生じる各色の発光領域間の輝度のずれを抑制することが出来る。
【００６１】
なお、本文で説明した第２の実施形態において、発光効率が高い色の発光領域に対して、優先的に補助電極１１を位置する場合について説明したが、発光効率に限らず、他の理由によって、異なる色の発光領域の実効的な発光面積を異ならせる必要がある場合においても、本発明は適用出来ることは言うまでもない。
【００６２】
また、本文において、有機ＥＬ表示装置について説明をしたが、液晶表示装置など、透明共通電極を有する他の表示装置にも、本発明が適用出来ることは言うまでもない。
【図面の簡単な説明】
【００６３】
【図１】従来技術を示す表示装置表示部の一部を示す上面図である。
【図２】本発明の実施形態の一例を示す表示装置表示部の一部を示す上面図である。
【図３】本発明の実施形態の一例を示す表示装置表示部の一部を示す上面図である。
【図４】本発明の実施形態の一例を示す表示装置表示部の一部を示す上面図である。
【図５】本発明の実施形態の一例を示す表示装置表示部の一部を示す上面図である。
【図６】本発明の実施形態の一例を示す表示装置表示部の一部を示す上面図である。
【図７】本発明の実施形態の一例を示す表示装置表示部の一部を示す上面図である。
【図８】本発明の実施形態の一例を示す表示装置表示部の一部を示す上面図である。
【図９】本発明の実施形態の一例を示す表示装置表示部の一部を示す上面図である。
【図１０】本発明の実施形態の一例を示す表示装置表示部の一部を示す上面図である。
【図１１】本発明の実施形態の一例を示す表示装置表示部の一部を示す上面図である。
【図１２】本発明の実施形態の一例を示す表示装置表示部の一部を示す上面図である。
【符号の説明】
【００６４】
１  第１の色の発光領域、２  第２の色の発光領域、３  第３の色の発光領域、４  第１の色の発光領域、５  第２の色の発光領域、６  第３の色の発光領域、１１  補助電極。
【図１】
2010140648.tif 000003
【図２】
2010140648.tif 000004
【図３】
2010140648.tif 000005
【図４】
2010140648.tif 000006
【図５】
2010140648.tif 000007
【図６】
2010140648.tif 000008
【図７】
2010140648.tif 000009
【図８】
2010140648.tif 000010
【図９】
2010140648.tif 000011
【図１０】
2010140648.tif 000012
【図１１】
2010140648.tif 000013
【図１２】
2010140648.tif 000014